(57)【要約】【課題】  誰もが日々の日常生活において簡単に身体の調子を整えることができる体調回復補助具を提供すること。【解決手段】  市販されているコンパクトディスクである板状体１０と、複数枚の板状体１０を収容する収容具２０と、によって、体調回復補助具１を形成し、収容具２０の板状体収容袋２４に収容されている各板状体１０のデジタル情報記録面１１を、体調回復補助具１の表面２２側に向けて配列する。そして、体調回復補助具１の使用者は、表面２２が上を向くように１枚の体調回復補助具１を敷き、体調回復補助具１の上に自身の身体を横たえるとともに、表面２２が下を向くように１枚の体調回復補助具１を身体の上から掛けることによって、身体の体調を整えることができる。【選択図】  図１
2014209988.tif 000002
【特許請求の範囲】
【請求項１】
少なくとも片面に鏡面が形成された板状体と、当該板状体を収容する収容具と、を有し、
前記収容具に収容されている複数枚の前記板状体が、各前記板状体の前記鏡面を同じ側に向けて配列されていることを特徴とする体調回復補助具。
【請求項２】
前記板状体の前記鏡面が、金属の鏡面であることを特徴とする請求項１に記載の体調回復補助具。
【請求項３】
前記板状体の前記鏡面には、その全面にわたって凹凸が形成されていることを特徴とする請求項１又は請求項２に記載の体調回復補助具。
【請求項４】
前記板状体が、デジタル情報を記録可能に形成された光ディスクであり、当該光ディスクのデジタル情報記録面が、前記板状体の前記鏡面をなすことを特徴とする請求項３に記載の体調回復補助具。
【発明の詳細な説明】
【技術分野】
【０００１】
本発明は、身体の調子を整える際に使用する体調回復補助具に関する。
【背景技術】
【０００２】
人は、身体に疲れや異常を感じた場合、様々な治療を施すことを通して、その疲れや異常の除去に努める。身体の異常等がどこの部位に生じているかが明確に把握できる場合には、内科や外科等の医者に治療してもらう。
しかし、身体の疲れや異常の原因がわからない不明な場合も多い。そのような場合には、内科や外科等の医者に診察してもらっても、明確な治療を行うことができずに様子見となってしまうことも多い。
【０００３】
身体の疲れや異常に対するアプローチとして、他にも、湯治等によって身体全体をゆっくりと時間をかけて正常な状態へ導いていく方法もある。このような方法は、古来、我が国において広く行われている（例えば、非特許文献１を参照）。
【先行技術文献】
【非特許文献】
【０００４】
【非特許文献１】“ウィキペディア  フリー百科事典  「湯治」”［２０１３年４月６日検索］インターネット＜ＵＲＬ：ｈｔｔｐ：／／ｊａ．ｗｉｋｉｐｅｄｉａ．ｏｒｇ／ｗｉｋｉ／％Ｅ６％Ｂ９％ＡＦ％Ｅ６％Ｂ２％ＢＢ＞
【発明の概要】
【発明が解決しようとする課題】
【０００５】
しかしながら、湯治をするにあたっては、温泉地において長期間継続することが必要である。一般的に言って、１度や２度の回数だけ温泉に入ったりするのでは、一時的に体調が良くなることがあっても、その効果は長続きせず、湯治の効果を充分に得ることができない。
【０００６】
このため、身近なところに温泉が無い場合、わざわざ、温泉地まで行って長期間滞在しつつ湯治をすることになってしまう。このようなことは、日々の仕事に追われて多忙な生活を送る現代人には非常に困難なことであると言わざるを得ない。
本発明は、上記問題を解決するものであり、その目的とするところは、誰もが、日々の日常生活において簡単に身体の調子を整えることができる体調回復補助具を提供することである。
【課題を解決するための手段】
【０００７】
本発明は、その課題を解決するために以下のような構成をとる。請求項１の発明に係る体調回復補助具は、少なくとも片面に鏡面が形成された板状体と、当該板状体を収容する収容具と、を有し、前記収容具に収容されている複数枚の前記板状体が、各前記板状体の前記鏡面を同じ側に向けて配列されていることを特徴とする。
【０００８】
本願発明者が試行錯誤を重ねて得た知見によれば、板状体の鏡面を人の身体に当てておくと、その人の身体から疲れが取れ、身体の調子が良くなる。例えば、体調回復補助具を身体の下に敷いたり、体調回復補助具を身体の上に掛けるなどしたりして就寝すると、体調回復補助具の効果によって身体の調子が整えられる。そして、就寝前に感じていた身体の疲れや不調が軽減し、場合によっては、身体の疲れや不調が無くなってしまう。
【０００９】
したがって、わざわざ湯治に行かなくても、誰もが体調回復補助具を使うことによって簡単に身体の調子を整えることができる。また、本願発明者は、湯治や鍼灸・整体と、体調回復補助具の使用と、を併用することによって、身体の調子が整えるうえでより大きな効果を得ることができることを確認している。
【００１０】
体調回復補助具を使うことによって、なぜこのような効果が生じるかということについては、未だ理由が解明されてはいない。ただ、本願発明者が考察するところによれば、板状体の鏡面の周囲に何らかの場が形成され、この場に身体が同調することによって、身体の調子が整えられると考えられる。
【００１１】
より具体的には、人の身体を形成する細胞、神経、血液その他の体液は、それぞれ振動しており、この振動が乱れることにより身体に不調が生じると、本願発明者は考えている。そして、板状体の鏡面の周囲に形成されている前記場が、乱れた細胞等の振動を正常なものに戻すと、本願発明者は考えている。
【００１２】
なお、鏡面が形成された板状体は、例えば、ガラス製であっても良いし、樹脂製であっても良いし、金属製であっても良いということを、本願発明者が試行錯誤を重ねた結果確認している。
【００１３】
請求項２の発明に係る体調回復補助具は、請求項１に記載の体調回復補助具であって、前記板状体の前記鏡面が、金属の鏡面であることを特徴とする。
金属の鏡面を有する板状体は、例えば、少なくとも一面を鏡面仕上げした金属板であっても良いし、ガラスやプラスチックの面上に金属を蒸着して形成した鏡であっても良いということを、本願発明者が試行錯誤を重ねた結果確認している。
【００１４】
請求項３の発明に係る体調回復補助具は、請求項１又は請求項２に記載の体調回復補助具であって、前記板状体の前記鏡面には、その全面にわたって凹凸が形成されていることを特徴とする。
本願発明者が試行錯誤を重ねて得た知見によれば、鏡面の全面にわたって凹凸が形成されている板状体を有する体調回復補助具と、鏡面の全面が凹凸のない平滑な面となっている板状体を有する体調回復補助具と、を比較すると、前者の体調回復補助具を使用する場合のほうが、後者の体調回復補助具を使用する場合のほうよりも、人の身体の調子を整える効果が大きかった。
【００１５】
鏡面における凹凸の有無によって、なぜこのように体調回復補助具の効果に差が生じるかということについては、未だ理由が解明されてはいない。ただ、本願発明者が考察するところによれば、鏡面に凹凸が存在することによって、板状体の鏡面の周囲に形成される前記場の強さが身体に対して穏やかなものになり、このことが体調回復補助具の効果の差となって表れたと考えられる。
【００１６】
請求項４の発明に係る体調回復補助具は、請求項３に記載の体調回復補助具であって、前記板状体が、デジタル情報を記録可能に形成された光ディスクであり、当該光ディスクのデジタル情報記録面が、前記板状体の前記鏡面をなすことを特徴とする。
本願発明者が試行錯誤を重ねて得た知見によれば、板状体として光ディスクを利用した体調回復補助具において、人の身体の調子を整える効果が非常に大きかった。
【００１７】
なお、光ディスクのデジタル情報記録面は、金属の膜によって形成された鏡面となっているとともに、微細な凹凸がその全面にわたって形成されている。このため、光ディスクが板状体として使用可能である。
光ディスクは、極めて安価に入手可能であり、誰もが極めて簡単に体調回復補助具を使って身体の調子を整えることができる。
【００１８】
なお、光ディスクは、例えば、既存のコンパクトディスク（いわゆるＣＤ）であっても良いし、既存のデジタルビデオディスク（いわゆるＤＶＤ）であっても良い。また、光ディスクの大きさは特に限定されない。径が小さな光ディスクが板状体であるならば、体調回復補助具を身体の下に敷いたり、身体の上に掛けたりしても、ごわつき等の違和感を覚えることが少なくなる。
【００１９】
また、板状体をなす光ディスクは、その中央部に開口穴を有している。本願発明者が試行錯誤を重ねて得た知見によれば、光ディスクの開口穴を、金属で塞ぐことによって、体調回復補助具の効果が高まる。また、光ディスクの開口穴を、磁性体を塗布した磁気記録テープを用いて塞ぐことによっても、体調回復補助具の効果が高まる。
【００２０】
板状体をなす光ディスクの開口穴を金属等で塞ぐことによって、なぜこのように体調回復補助具の効果が高まるかということについては、未だ理由が解明されてはいない。ただ、本願発明者が考察するところによれば、開口穴を金属等で塞ぐことによって、板状体の鏡面の周囲に形成される前記場が身体に対して効率よく影響しているものと考えられる。
【発明の効果】
【００２１】
上記のような体調回復補助具であるので、誰もが日々の日常生活において簡単に身体の調子を整えることができる。
【図面の簡単な説明】
【００２２】
【図１】体調回復補助具の平面図である。
【図２】体調回復補助具の部分断面図である。
【発明を実施するための形態】
【００２３】
本発明の実施の形態を図１及び図２を参照しつつ以下に説明する。
体調回復補助具１は、複数枚の板状体１０と、収容具２０と、を有している。
板状体１０は、市販の直径１２ｃｍのコンパクトディスクであり、円盤状をなしている。板状体１０は、表側から順番に、保護層（図示略）と、反射層（図示略）と、樹脂層（図示略）と、を有している。
【００２４】
板状体１０において、前記保護層は硬質樹脂によって形成されており、前記反射層は金属のアルミの薄層によって形成されており、前記樹脂層は透明な樹脂によって形成されている。そして、前記反射層の表面は、鏡面になっており、この反射層の鏡面が板状体１０の裏側から前記樹脂層を通して見えている。また、板状体１０の裏側から見た前記反射層の表面には、多数の微細な凹凸が形成されている。これらの微細な凹凸が、コンパクトディスクに記録されたデジタル情報であり、板状体１０の裏側面がデジタル情報記録面１１となっている。
【００２５】
また、板状体１０は、中央部に開口穴（図示略）を有している。この開口穴は、磁性体を塗布した磁気記録テープによって塞がれている。なお、磁性体を塗布した磁気記録テープとは、市販のビデオテープやカセットテープにおいて用いられている磁気記録テープである。
【００２６】
収容具２０は、布製であり、長方形をなしている。収容具２０の表面２２上には、ｍ×ｎ個の板状体収容袋２４が形成されている。収容具２０の表面２２上において、板状体収容袋２４は、収容具２０の横方向にｍ個並んで配置されており、ｍ個横並びに並ぶ板状体収容袋２４の列が、収容具２０の縦方向にｎ段並んで配置されている。なお、ｍ、ｎは、ともに自然数である。そして、各板状体収容袋２４には、それぞれ１枚の板状体１０が収容されている。
【００２７】
板状体収容袋２４に収容されている板状体１０は、デジタル情報記録面１１が収容具２０の表面２２側を向いている。すなわち、体調回復補助具１において、すべての板状体１０は、デジタル情報記録面１１を同じ側（すなわち、表面２２側）に向けて配列されている。
【００２８】
体調回復補助具１は、以上述べた構成を有している。次に、体調回復補助具１が奏する作用効果について説明する。
体調回復補助具１の使用者は、身体に疲れや異常を感じている人である。
使用者は、身体を横たえて休む姿勢を取る際、１枚の体調回復補助具１を身体の下に敷く。この際、収容具２０の表面２２を上向きとする。すなわち、体調回復補助具１の上に横たわる使用者の身体に対し、この体調回復補助具１の板状体１０のデジタル情報記録面１１が身体に対向した状態となっている。
【００２９】
さらに、身体を横たえた使用者は、別の１枚の体調回復補助具１を身体の上に掛ける。この際、身体の上に掛ける体調回復補助具１の裏面２３を上向きとし、体調回復補助具１の表面２２を身体側に向ける。すなわち、体調回復補助具１を掛けられた使用者の身体に対し、この体調回復補助具１の板状体１０のデジタル情報記録面１１が身体に対向した状態となっている。
【００３０】
このように、板状体１０のデジタル情報記録面１１が身体に対向している状態を続けていると、使用者の身体の調子が整えられる。
なお、体調回復補助具１の効果は、例えば、温泉等に入った後に休憩を取る際に使用することによって顕著なものとなる。また、体調回復補助具１の効果は、例えば、針灸治療時や整体治療時等に使用することによっても顕著なものとなる。
【産業上の利用可能性】
【００３１】
上記のような体調回復補助具であるので、人の身体の調子を整える際に使用する補助具として有用である。
【符号の説明】
【００３２】
１    体調回復補助具
１０    板状体
１１    デジタル情報記録面
２０    収容具
２２    収容具の表面
２３    収容具の裏面
２４    板状体収容袋
【図１】
2014209988.tif 000003
【図２】
2014209988.tif 000004